(57)【要約】【課題】  間伐材等の木材を使用して形成されたブロックを組み合わせ、塀壁を構築するための構造を提供する。【解決手段】  一定のモジュールに従って形成された標準ブロック１１、及びこれに組み合わせるため、同じモジュールに従って形成された異形ブロック１１′を有するブロック群と、各ブロック１１、１１′…を組み合わせて塀壁を構築するために、各ブロック１１、１１′…に形成したダボ穴１３及びダボ穴１３に嵌合可能なダボ１４から成る結合手段１５とを具備し、ダボ１４…は長短各種の長さを有していて、結合するブロック同士を間隔を開けて又は間隔を開けることなく結合するように構成する。また隣接ブロック間に配置するブロック同士を所定の間隔に保つとともに、ダボ１４…の強度を増強するために、ダボ１４…を通すための孔２９ａ…を有するスペーサー２９…を使用することができる。【選択図】          図１
0003112885.tif 000002
【実用新案登録請求の範囲】
【請求項１】
間伐材等の木材を使用して形成されたブロックを結合して塀壁を構築するための構造であって、
一定のモジュールに従って形成された標準ブロック、及びこれに組み合わせるため、同じモジュールに従って形成された異形ブロックを有するブロック群と、各ブロックを組み合わせて塀壁を構築するために、各ブロックに形成したダボ穴及びダボ穴に嵌合可能なダボから成る結合手段とを具備し、ダボは長短各種の長さを有していて、結合するブロック同士を間隔を開けて又は間隔を開けることなく結合するようにしたことを特徴とする積木式塀壁構造。
【請求項２】
ダボは、結合するブロックに形成したダボ穴の深さの合計以上の長さを有する請求項１記載の積木式塀壁構造。
【請求項３】
ダボは表面に嵌合方向と交叉する方向の凹溝を設け、この凹溝がダボ穴の穴壁に密着して機械的嵌合度を高めるように構成された請求項１又は２記載の積木式塀壁構造。
【請求項４】
隣接ブロック間に配置してブロック同士を所定の間隔に保つとともに、ダボの強度を増強するために、ダボを通すための孔を有するスペーサーを使用する請求項１記載の積木式塀壁構造。
【考案の詳細な説明】
【技術分野】
【０００１】
本考案は、間伐材等の木材を使用して形成されたブロックを結合して塀壁を構築するための構造に関するものである。
【背景技術】
【０００２】
現在は塀の構築材料として、コンクリートブロックが主流を占めている。これに対してかつては板塀が多く見られた。板塀の消失した原因は幾つか考えられるが、木材資源の枯渇が主なものと考えられる。しかし、最近間伐材の有効利用が図られていることに伴い、木材を利用する技術に関する発明考案も少なからず提案されている。
【０００３】
特開２００５−７７４６号は工作用木材ブロックに関するもので、木口にあらわれる４個のダボ穴が、他の木材板面に所定の配列パターンとして設けられているダボ穴と整合するようにされている。登録実用新案第３０９１８８０号は木製構成部材と称するもので、２×４材にダボ穴を開けたことでダボを打ち込み、木材同士の接合ができるようにしたものである。しかし、ダボが木材ブロックの大きさに対して過小であり、非常に多数のダボを必要とし、また予めダボを一方の木材ブロックに取り付けておかなければならない。
【０００４】
【特許文献１】特開２００５−７７４６号
【特許文献２】登録実用新案第３０９１８８０号
【考案の開示】
【考案が解決しようとする課題】
【０００５】
本考案の課題は、間伐材等の木材を使用して形成されたブロックを組み合わせ、塀壁を構築するための構造を提供することである。
【課題を解決するための手段】
【０００６】
前記の課題を解決するため本考案は、間伐材等の木材を使用して形成されたブロックを結合して塀壁を構築するための構造について、一定のモジュールに従って形成された標準ブロック、及びこれに組み合わせるため、同じモジュールに従って形成された異形ブロックを有するブロック群と、各ブロックを組み合わせて塀壁を構築するために、各ブロックに形成したダボ穴及びダボ穴に嵌合可能なダボから成る結合手段とを具備し、ダボは長短各種の長さを有していて、結合するブロック同士を間隔を開けて又は間隔を開けることなく結合するようにするという手段を講じたものである。
【０００７】
本案構造を構成するブロックは、木材、中でも間伐材を使用して形成されたものであることが望ましい。しかし１本の木材から切り出されたブロックである必要はなく、複数個の木材片を接着して作った集成材を使用して形成したブロックであっても良い。本考案
は、塀又は壁若しくはこれらに類似のもの（本考案ではこれを塀壁と総称している。）を構築するのに適した構造の提供を目的とし、この構造は、ブロック群と、結合手段とから構成されている。
【０００８】
ブロック群は、一定のモジュールに従って形成されて標準ブロックを有する。ここで「標準ブロック」とは、例えば塀の構築に主として使用されるブロックを意味しており、さらにこれを上下互い違いに積み重ねるような場合に端部の調整に必要となる標準ブロックの２分の１の長さのブロックなどは、異形ブロックに属する。これに、塀の上端に使用されるものや、角専用のブロックなどの役物ブロックを並用し、これらの標準ブロック、異形ブロック、役物ブロックは一定のモジュールに従う一群のブロック即ち本考案におけるブロック群を構成する。モジュールは任意に選択し得る事項であり、例えば和風建築や日本庭園に適用する塀壁の場合には尺寸モジュール、また２×４工法に適合させる場合にはインチモジュールを使用し得るが、その他例えば２５センチ、４０センチなど独自のモジュールを使用しても良い。
【０００９】
結合手段は、いわゆるダボ穴とダボとから成る。このダボ穴とダボは、相互に嵌合可能であって、嵌合することによりブロック同士を位置決めするとともに、複数個のブロック同士を構造的に結合する機能及び強度を持ち、それによって塀壁を構築することができるものである。結合手段であるダボはダボ穴とは分離しており、ブロック同士を結合するときにダボ穴に嵌合し、また接着することができる。
【００１０】
ダボ穴とダボから成る結合手段は、数が少ないほど作業上好都合であるので、標準ブロック１個あたり２個程度を具備することが望ましい。そして標準ブロック１個あたり２個程度のダボ穴とダボにより、標準ブロック同士を構造的にほぼ完全に結合できるだけの強度を有するものである。ダボは長短各種の長さを有するものを使用することができる。即ち、結合するブロックに形成されているダボ穴の深さの合計よりも短くも又長くも形成することができ、結合するブロックのダボ穴の深さの合計よりも短いダボを使用した場合には、結合するブロック同士の間隔を開けることなく結合することができるが（図８〜１１参照）、結合するブロック間の間隔は、例えば風通し部として機能する。
【００１１】
ダボは、図７に例示したように、長短数種の長さを有することは上記のとおりである
が、ダボ単独で使用するとは限らず、スペーサーを並用することもあり得る（図７参照）。スペーサーは隣接ブロック間に配置してブロック同士を所定の間隔に保つとともに、ダボの強度をさらに増強することができるもので、そのためにスペーサーを貫通する孔を設けそこにダボを嵌め込めるようになっている。スペーサーはダボに打ち込んで一体化するか、又は接着して一体化することができるものであり、一体化したダボはスペーサーから一定寸上方及び下方へ突出するので、相対的に短いダボをダボ穴に打ち込み過ぎるということもなく、作業性の面からも好都合である。
【００１２】
ダボは表面に凹溝を有し、この凹溝がダボ穴の穴壁に食い込むように密着し、かつ接着剤使用時には接着剤充填溝となるので、結合の機械的強度を高める構成を取ることができる。ダボ表面の凹溝は、嵌合方向とは交叉するように周面に１箇所又は２箇所以上設けられる。ダボは、ブロック群と同様に間伐材等の木材を使用することができるが、しかし、木材に限定しなくても良い。
【００１３】
ブロックの結合方向は任意であるが、塀や壁の構築という事情を考慮する場合、上下方向の結合つまり積み重ねに伴う結合が主になると考えられる。しかしさらに前後方向、或いは左右方向の結合も取り得るとともに、１個のブロックについて上下方向、前後方向、左右方向の各結合手段を具備することもあり得る。
【考案の効果】
【００１４】
本考案は上記のように構成され、かつ作用するものであるから、ブロック同士を結合手段を用いて結合し、塀や壁を構築することを容易になし得るとともに、ブロック同士の間隔を開けて又は間隔を開けることなく結合することができるので、塀面又は壁面に隙き間を設ける施工法として好適であり、塀の場合は強風に伴う圧力を逃がし、損壊を免れるほか、塀や壁の外観に変化を与えることができる等の効果を奏する。
【考案を実施するための最良の形態】
【００１５】
以下図示の実施形態を参照して本考案を詳細に説明する。図１は本考案に係る積木式塀壁構造を構成する標準ブロック１１を示しており、この標準ブロック１１は左右に長くかつ前後に偏平な標準型のブロック本体１２を有している。またその上面に２個形成したダボ穴１３と、ダボ穴１３に嵌合可能なダボ１４とは結合手段１５を構成している。図１に示した標準ブロック１１は、木材製のブロック本体１２と同じく木材製のダボ１４から成り、ダボ穴１３にダボ１４を嵌合した状態を示している。図１に示した標準ブロック１１の場合、ブロック本体１２は下面にも上面と同様２個のダボ穴１３′を有しており、上下のダボ穴１３、１３′の位置は、ブロック本体横幅寸法の丁度３分の１及び３分の２の位置で一致している。また上部ダボ穴１３と下部ダボ穴１３′の深さの合計はダボ１４の長さとほぼ等しいが、上部ダボ穴１３よりも下部ダボ穴１３′の深さの方がやや深く設定されている。ダボ１４…には、嵌合方向と交叉する方向の凹溝１４ａを設け、ダボ穴１３…の穴壁との嵌合度を高めるようにすることができる。凹溝１４ａは、接着剤がそこに入り込んで接着力を高める意味でも有効である。
【００１６】
図２のものは、図１の標準ブロック１１に側面左右方向への連結手段１６を追加して設けた変形例の標準ブロックである。左右方向の連結手段１６は、２個の標準ブロック１１、１１をＬ字型に結合することを可能にするもので、連結穴１７と連結軸１８とから成
り、例示の場合、連結穴は標準ブロック１１、１１の背面左右のもの１７、１７′及び、標準ブロック１１、１１の左右側面のもの１９、１９′から成る。背面の連結穴１７、
１７′及び、標準ブロック１１、１１の左右側面のもの１９、１９′から成る。背面の連結穴１７、１７′及び側面の連結穴１９、１９′については左右どちらか一方だけを設けても良く、また両方共設けても良い。なおダッシュを付けた符号が左側である。
【００１７】
図３は標準ブロック及び異形ブロックの例を示す。図３Ａのものは、面取りを設けた正面に対して右側だけに上下２個の連結穴１９、１９を設けた例、図３Ｂのものは正面に対して左側だけに上下２個の連結穴１９′、１９′を設けた例、図３Ｃのものは背面右側だけに上下２個の連結穴１８、１８を設けた例、図３Ｄのものは背面左側だけに上下２個の連結穴１８′、１８′を設けた例を示す。また、図３Ｅのものは標準ブロック１１の２個分の長さを有する異形ブロック１１′の例を示しており、それとともに長短２種の長さのダボ１４、１４′を並記している。
【００１８】
図４は塀の笠石となる役物ブロックの例を示す。図４Ａのものは、笠石の中間部分に配置される標準ブロックと同じ長さの役物ブロック２１の例、図４Ｂは同じく中間部用ながら標準ブロックの２個分の長さを有する役物ブロック２１′の例、図４Ｃは塀の右端に配置される標準ブロックと同じ長さの右役物ブロック２２、図４Ｄは同じく右役物ブロック２２′であるが標準ブロック２個分の長さを有するものの例、図４Ｅは塀の左側に配置される標準ブロックと同じ長さの左役物ブロック２３の例、図４Ｆは同じく左役物ブロック２３′であって標準ブロック２個分の長さを有するものの例を示している。これらの標準ブロック１１、異形ブロック１１′、役物ブロック２１…にはすべてダボ穴１３、１３′が設けられているが、ダボ穴１３、１３′の深さは全部同一で良い。
【００１９】
図５は変形ブロックの例を示す。図５Ａは横断面が菱形の変形ブロック２４で標準ブロックと同じ長さを有するものの例、図５Ｂは同じく横断面菱形ながら標準ブロック２個分の長さを有する変形ブロック２４′の例である。また図５Ｃは横断面が円形の変形ブロック２５で標準ブロックと同じ長さを有するものの例、図５Ｄは同じ横断面円形であるが標準ブロック２個分の長さを有する変形ブロック２５′の例である。これらの変形ブロック２４、２４′、２５、２５′は標準ブロック１１、異形ブロック１１′と併用するものであるので、同じモジュールを適用するが、高さについても標準ブロック１１、異形ブロック１１′の高さの２分の１であるとか３分の１或いは４分の３というように設定する。ダボ１４、１４′を通す通し穴２６、２７は全部、上下方向の貫通孔とする。
【００２０】
図６は土台ブロック２８の例であり、役物ブロックの１種と考えて良い。土台ブロック２８は標準ブロック１１の複数倍の長さ、標準ブロック１１よりも大きい前後幅Ｗ及び任意の高さＨを有し、やはり間伐材等の木材を使用して形成することができる。ダボ穴１３は土台ブロック２８の上面に一定の間隔で形成されている。
【００２１】
図７はダボ１４…の長短とこれに組み合わされるスペーサー２９…の例示である。図７Ａの上下ダボ穴１３、１３′の深さに略等しいものの長さを基準とすれば、Ｂのものは５割長いもの、Ｃのものは２倍の長さのものであり、太さは一定とされている。基準のダボ１４よりもさらに短いものも使用し得る。スペーサー２９…はダボ１４…を打ち込み一体化する孔２９ａを有しており、また高さの異なる数種のものから成るが例示の短いスペーサー２９は長い方２９′の２分の１の長さを有する。例示のスペーサー２９…は円柱状であり、ブロック１１…の厚味におさまる直径を有するが、円柱状に限られる訳ではなく、任意の形態に形成することができるのはいうまでもない。またその長さを含む大きさはブロック１１…と同じモジュールに従って形成されるものとする。
【００２２】
次に本考案の積木式塀壁構造の構築例を示す。図８Ａは、土台コンクリート上に土台ブロック２８を据え付け、その上に標準ブロック１１及び標準ブロック１１の２分の１の長さの異形ブロック１１″を結合手段１５を使用して積み重ね、さらに最上部に笠石となる役物ブロック２１、２２、２３を積み重ねて構築した塀の例１である。この構築例１で
は、全部のブロック１１、１１′、１１″、２１、２２、２３、２８が上下にも左右にも隙間なく積み重ねられており、図面上は現われないが、木材特有の木目模様が全体を支配した和風の塀を形成することができる例である。これに対し図８Ｂは、上下の標準ブロック１１、異形ブロック１１′等を、ダボ穴１３、１３′の深さの合計以上の長さを有する長寸ダボ１４′及びスペーサー２９を使用して結合し、上下ブロック間に間隔３１を設け風通しを良くした構築例２を示す。これら２種の塀構築例１、２の横断面を図１１Ａ、図１１Ｂに示す。
【００２３】
図９は、長短ブロック１１、１１′の組み合わせにより構築した塀の例示であり、標準ブロック１１の内で、長いブロック１１′の真下に配置されるべきものを配置することなく窓３２を開けることができるという構造を示している。この例の場合、窓の大きさが大きいものとなるが、ダボ穴を使用して、適当なスペーサーを目隠しとして取り付け開口割合を調整しても良い。
【００２４】
図１０Ａは、土台コンクリート上にアンカーボルト３３を用いて土台ブロック２８を据え付け、その上に標準ブロック１１、１１′…と図５に示した菱形の変形ブロック２４、２４′により構築した塀の例３を示している。図１０Ｂは、同じく図５に示した丸太形の変形ブロック２５、２５′による塀の構築例４を示す。これらの構築例３、４では標準ブロック１１、１１′…の平面性に変形ブロック２４、２５…の凹凸がアクセントを付けて特有の壁面模様を形成している。これら２種の塀構築例３、４は図１１Ｃ、図１１Ｄに示された横断面を有する。
【産業上の利用可能性】
【００２５】
以上の構成は塀のみならず、仕切り壁その他にも適用することができる。
【図面の簡単な説明】
【００２６】
【図１】本考案に係る積木式塀壁構造の構成を示すもので、Ａは標準ブロックと結合手段を示す上面図、図Ｂは正面図、図Ｃは右側面図を示す。
【図２】標準ブロックの変形例を示す上面図。
【図３】ブロックの種類を示すもので、Ａ、Ｂ、Ｃ、Ｄは標準ブロックの変形例を示す斜視図、Ｅは異形ブロックの例を示す斜視図。
【図４】同じくブロックの種類を示すもので、Ａ、Ｂ、Ｃ、Ｄ、Ｅ、Ｆ６種の笠石を示す斜視図。
【図５】同じくブロックの種類を示すもので、Ａ、Ｂ、Ｃ、Ｄ４種の変形ブロックを示す斜視図。
【図６】同じくブロックの種類を示すもので、土台ブロックの斜視図。
【図７】長短３種類のダボと２種類のスペーサーの例を示す斜視図。
【図８】本考案の実施形態を示すもので、Ａは構築例１の、Ｂは構築例２の斜視図。
【図９】同じく実施形態を示す正面図。
【図１０】同じく実施形態を示すものでＡは構築例３の、Ｂは構築例４の斜視図。
【図１１】図８Ａ、Ｂ、図１０Ａ、Ｂの構築例１〜４に対応する横断面図。
【符号の説明】
【００２７】
１１、１１、  標準ブロック
１１′、１１″  異形ブロック
１３、１３′  ダボ穴
１４、１４′、１４″  ダボ
１５  結合手段
１６  連結手段
１７、１７′  連結穴
１８、１８′  連結軸
１９、１９′  連結穴
２１、２１′、２２、２２′、２３、２３′  役物ブロック
２４、２４′、２５、２５′  変形ブロック
２６、２７  通し穴
２８  土台ブロック
２９、２９′  スペーサー
【図１】
0003112885.tif 000003
【図２】
0003112885.tif 000004
【図３】
0003112885.tif 000005
【図４】
0003112885.tif 000006
【図５】
0003112885.tif 000007
【図６】
0003112885.tif 000008
【図７】
0003112885.tif 000009
【図８】
0003112885.tif 000010
【図９】
0003112885.tif 000011
【図１０】
0003112885.tif 000012
【図１１】
0003112885.tif 000013